(57)【要約】      （修正有）【課題】グレーチングの左右それぞれの下部に嵩上げ部材を設け、そのグレーチングを前後に長い側溝の溝ブロックの開口部の段部に複数連設する側溝のグレーチングの取付構造において、グレーチングと内枠の間に介装した緩衝部材でグレーチングにかかる荷重や衝撃を緩和する際、安定した緩衝効果を長期に渡って持続させ、しかもグレーチングの跳ね上がりや外れを防止した側溝のグレーチングの取付構造を提供する。【解決手段】溝ブロック２の開口部２ａの段部２ｂに縦向きの側板３ａを左右に備えた複数の内枠３を前後に連結して配置し、その内枠３の左右の側板３ａの上端それぞれに断面Ｌ字状の緩衝部材４を掛止して垂下して側方に張り出させ、その張り出し面に嵩上げ部材１ａを載せてグレーチング１を内枠３にボルト止めする。【選択図】図２
0003185743.tif 000002
【実用新案登録請求の範囲】
【請求項１】
グレーチングの左右それぞれの下部に嵩上げ部材を設け、そのグレーチングを前後に長い側溝の溝ブロックの開口部の段部に複数連設する側溝のグレーチングの取付構造において、溝ブロックの開口部の段部に縦向きの側板を左右に備えた複数の内枠を前後に連結して配置し、その内枠の左右の側板の上端それぞれに断面Ｌ字状の緩衝部材を掛止して垂下して側方に張り出させ、その張り出し面に嵩上げ部材を載せてグレーチングを内枠に設置したことを特徴とする、側溝のグレーチングの取付構造。
【請求項２】
グレーチングを内枠に脱着可能に固定した、請求項１記載の側溝のグレーチングの取付構造。
【請求項３】
グレーチングと左右の嵩上げ部材の間に隙間を有する構造とし、その左右の隙間にボルト穴付きの押えプレートを挿入して左右方向に掛け渡し、ナット付きの取付台を内枠の左右の側板間に且つグレーチングを載せた際に押えプレートと重なる位置に設け、上方から固定ボルトを押えプレートのボルト穴に通して取付台のナットに螺合してグレーチングを内枠に固定した、請求項２記載の側溝のグレーチングの取付構造。
【請求項４】
内枠の構造が、左右の側板の前後端にボルト穴付きの直交方向の横板を左右の側板より外側に張り出すように固着したものである、請求項１〜３いずれか記載の側溝のグレーチングの取付構造。
【考案の詳細な説明】
【技術分野】
【０００１】
本考案は、側溝のグレーチングのガタつきや騒音を低減する技術に関する。
【背景技術】
【０００２】
従来までの側溝のグレーチングは、コンクリート製の溝ブロックの開口部の段部に自重で設置されていた。したがって、金属とコンクリートが直接接触しているから、その上を車両や人が通行すると、ガタつきや騒音を生じやすく、そのガタつきの動きでコンクリートが削れて溝ブロックの段部を傷めることもあった。
【０００３】
この問題に対し、グレーチングと溝ブロックの段部の間にゴム板を挟み、グレーチングにかかる荷重や衝撃をゴム板で緩衝してガタつきや騒音を低減しようとする技術が特許文献１〜５に開示されている。
【０００４】
しかし、これらの技術は、グレーチングと溝ブロックの間にゴム板を挟んでいるだけであるから、長期に渡って使用していると、グレーチングの動きでゴム板の位置が徐々にずれて緩衝効果が低下することがあった。また、騒音や溝ブロックの傷つきは緩和されるが、衝撃や反動でグレーチングが跳ね上がったり、溝ブロックから外れたりして思わぬ事故に繋がることがあった。
【先行技術文献】
【特許文献】
【０００５】
【特許文献１】特許第３３８０１４９号公報
【特許文献２】特許第３７２７１６９号公報
【特許文献３】特開２００２−１３８５６５号公報
【特許文献４】特開２００５−３２０７６８号公報
【特許文献５】特開２０１１−８９３８３号公報
【考案の概要】
【考案が解決しようとする課題】
【０００６】
本考案が解決しようとする第１の課題は、安定した緩衝効果を長期に渡って持続させることにある。第２の課題は、さらにグレーチングの跳ね上がりや外れを防止することにある。
【課題を解決するための手段】
【０００７】
かかる課題を解決した本考案の構成は、
１）  グレーチングの左右それぞれの下部に嵩上げ部材を設け、そのグレーチングを前後に長い側溝の溝ブロックの開口部の段部に複数連設する側溝のグレーチングの取付構造において、溝ブロックの開口部の段部に縦向きの側板を左右に備えた複数の内枠を前後に連結して配置し、その内枠の左右の側板の上端それぞれに断面Ｌ字状の緩衝部材を掛止して垂下して側方に張り出させ、その張り出し面に嵩上げ部材を載せてグレーチングを内枠に設置したことを特徴とする、側溝のグレーチングの取付構造
２）  グレーチングを内枠に脱着可能に固定した、前記１）記載の側溝のグレーチングの取付構造
３）  グレーチングと左右の嵩上げ部材の間に隙間を有する構造とし、その左右の隙間にボルト穴付きの押えプレートを挿入して左右方向に掛け渡し、ナット付きの取付台を内枠の左右の側板間に且つグレーチングを載せた際に押えプレートと重なる位置に設け、上方から固定ボルトを押えプレートのボルト穴に通して取付台のナットに螺合してグレーチングを内枠に固定した、前記２）記載の側溝のグレーチングの取付構造
４）  内枠の構造が、左右の側板の前後端にボルト穴付きの直交方向の横板を左右の側板より外側に張り出すように固着したものである、前記１）〜３）いずれか記載の側溝のグレーチングの取付構造
にある。
【考案の効果】
【０００８】
本考案の前記１）記載の構成によれば、緩衝部材が内枠の左右の側板に掛止されているから、緩衝部材の張り出し面に載せたグレーチングが荷重や衝撃で動いても緩衝部材の位置がずれ難く、安定した緩衝効果を長期に渡って持続させることができる。
【０００９】
本考案の前記２）及び３）記載の構成によれば、前後に複数連結した内枠にグレーチングを固定することで重量が大幅に増加するから、車両通行時の衝撃や反動によるグレーチングの跳ね上がりや外れを防止することができる。
【図面の簡単な説明】
【００１０】
【図１】実施例のグレーチングの取り付け状態を示す平面図である。
【図２】図１のＡ−Ａ線断面図である。
【図３】実施例のグレーチングを取り外した状態を示す平面図である。
【図４】実施例の緩衝部材の断面図である。
【考案を実施するための形態】
【００１１】
本考案の緩衝部材としては、ゴム等の弾性を有するものが用いられ、その形状としては、連続する長いものや、短いものを一定間隔おきに取り付けても良い。緩衝部材の取り付けは接着剤や粘着テープを併用しても良い。内枠の左右の側板は、その前後端に横板を固着して枠組みする方法の他、中間部に横板を固着しても良く、その横板に代えて取付台で枠組みしても良い。グレーチングに押えプレートを挿入する隙間が無い場合は、ボルト穴付きのプレートをグレーチングの下面に溶着したものでも良い。
【００１２】
以下、本考案を実施するための形態を代表的な実施例と図面に基づいて具体的に説明する。なお、本考案は以下の実施例に限定されるものではなく、様々な組み合わせや変形が可能である。
【実施例】
【００１３】
図１〜３に示すように、本実施例のグレーチング１は、その左右の下部に角パイプ状の嵩上げ部材１ａを溶着し、その左右の嵩上げ部材１ａとグレーチング１の間に隙間を設けている。溝ブロック２は、グレーチング１を設置するための段部２ｂ付きの開口部２ａを設けている。
【００１４】
内枠３は、縦向きの左右の側板３ａの前後端にボルト穴付きの横板３ｂを溶接し、いずれか一方の横板３ｂのボルト穴にナット３ｃを溶着している。取付台３ｄは板材を断面逆Ｕ字状に折り曲げ、水平部にボルト穴を開口してその下面にナット３ｅを溶着し、左右の側板３ａに且つグレーチング１を載せた際に押えプレート６と重なる位置に溶着している。前後の横板３ｂは左右の側板３ａより外側に張り出させている。
【００１５】
緩衝部材４は、前後方向に長く、且つ図４に示すように、垂直部４ａと水平な張出し部４ｂを有する断面Ｌ字状のゴム製で、垂直部４ａの上端に掛止部４ｃを形成している。この緩衝部材４の掛止部４ｃを内枠３の側板３ａの上端に掛止して垂直部４ａを側板３ａの側面に接し、その側板３ａの下端から張出し部４ｂを外側に張り出させている。
【００１６】
本実施例では、図３に示すように、溝ブロック２の段部２ｂに内枠３の横板３ｂの張り出し部分を掛止して複数の内枠３を前後に配置し、連結ボルト５を横板３ｂのボルト穴から隣接する内枠３の横板３ｂのナット３ｃに螺合して内枠３同士を連結する。
【００１７】
グレーチング１と嵩上げ部材１ａの間の隙間にはボルト穴付きの押えプレート６を挿入して左右方向に掛け渡し、図１，２に示すように、その状態でグレーチング１の嵩上げ部材１ａを緩衝部材４の張出し部４ｂに載せて押えプレート６を取付台３ｄに重ね、固定ボルト７を押えプレート６の上方から取付台３ｄのナット３ｅに螺合してグレーチング１を内枠３に固定する。
【００１８】
この状態でグレーチング１の上を車両や人が通行しても、緩衝部材４が内枠３の側板３ａに掛止されているから、グレーチング１が荷重や衝撃で動いても緩衝部材４の位置がずれ難く、安定した緩衝効果が長期に渡って持続する。また、グレーチング１は内枠３に固定することで重量が大幅に増加しているから、衝撃や反動によるグレーチング１の跳ね上がりや外れが防止される。
【産業上の利用可能性】
【００１９】
本考案の技術は、道路、歩道、公園、駅、駐車場、店舗、学校、工場、ガソリンスタンド、プール等、屋内外に設置される全てのグレーチングに利用できる。
【符号の説明】
【００２０】
１    グレーチング
１ａ  嵩上げ部材
２    溝ブロック
２ａ  開口部
２ｂ  段部
３    内枠
３ａ  側板
３ｂ  横板
３ｃ  ナット
３ｄ  取付台
３ｅ  ナット
４    緩衝部材
４ａ  垂直部
４ｂ  張出し部
４ｃ  掛止部
５    連結ボルト
６    押えプレート
７    固定ボルト
【図１】
0003185743.tif 000003
【図２】
0003185743.tif 000004
【図３】
0003185743.tif 000005
【図４】
0003185743.tif 000006